【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
先行技術・特許６２３２５３０号に記載の「液位増減方法」を改良し、改良された該「液位増減方法」によって駆動する「浮力式動力発生装置」、であって、
前記改良された「液位増減方法」は、
浮体と該浮体を浮かべる液体の組み合わせにおいて、該液体を操作する駆動動力を小さくすること、を目的として、「浮体体積に対する液体体積の割合」を小さくすること、を特徴とする「極少流体」と、
浮体を鉛直に拡大して該浮体の体積を拡大すること、によって、浮力による発生動力を増大させること、を特徴とする「浮体の鉛直拡大」と、
該液体に物体を挿入し抜去すること、によって液位を増減する操作において、該操作に用いる駆動動力を一定に保つこと、該操作によって浮体を上下運動に導くこと、を特徴とする「物体の挿入と抜去」と、
によって、「発生動力＞駆動動力の関係」が成立すること、を特徴とすること、
前記「浮力式動力発生装置」は、
「容器」と、「浮体」と、「液体」と、「物体」と、該「物体の挿入と抜去」を実行する「駆動装置」と、を含み、
該「容器」は、該「浮体」と該「液体」を収容すること、
該「液体」は、前記「極少流体」の特徴をもって該「容器」に収容されること、水もしくは重液もしくは水銀が用いられること、
該「浮体」は、該「液体」に浮かび、該「液体」の液位の増減によって上下に移動すること、前記「浮体の鉛直拡大」によって浮力を増大できること、
該「物体」は、該「液体」に挿入され抜去されること、
該「物体」を挿入し抜去する空間である「貯液部」を、該容器もしくは該浮体もしくは該容器と該浮体に設けること、
該「駆動装置」は、該「物体」を用い、該「貯液部」において、前記「物体の挿入と抜去」を実行すること、
を特徴とすること、
該「駆動装置」を利用し、該「物体」を、該「液体」に挿入し抜去することによって、該「液体」の液位を増減し、該「液体」に浮かぶ該「浮体」を上下に移動させること、によって動力を発生させること、
を特徴とする、「浮力式動力発生装置」。
【請求項２】
請求項１の、「極少流体」と、「浮体の鉛直拡大」と、該「先行技術・特許６２３２５３０号」の「請求項４」に記載された「操作」を実行する「駆動装置」と、を利用した「浮力式動力発生装置」、であって、

「容器」と、「浮体」と、「液体」と、該「駆動装置」と、を含み、
該「容器」は、該「浮体」と該「液体」を収容すること、
該「液体」は、該「極少流体」の特徴をもって該「容器」に収容されること、水もしくは重液もしくは水銀が用いられること、
該「浮体」は、該「液体」に浮かび、該「液体」の液位の増減によって上下に移動すること、該「浮体の鉛直拡大」による浮体の体積の拡大によって浮力を増大できること、
該「駆動装置」は、該「請求項４」に記載された「操作」の群から選択された一つ又は複数の操作を実行すること、

該「駆動装置」によって、前記「一つ又は複数の操作」を実行し、  該「液体」の液位を増減することによって該「浮体」を上下に移動させ、動力を発生させること、
を特徴とする、「浮力式動力発生装置」。
【請求項３】
請求項１の「浮体の鉛直拡大」を利用した、該「先行技術・特許６２３２５３０号」の「浮力式動力発生装置」である「間隙操作式浮体」、の改良であって、

該「浮体の鉛直拡大」による浮体の体積の拡大によって出力を増大させること、
該出力は、該「間隙操作式浮体」の開口部の、単位時間あたりの開放と閉鎖の回数を制御することによって調整すること、
を特徴とする、「改良された間隙操作式浮体」。
【請求項４】
請求項１もしくは請求項２もしくは請求項３もしくは該「先行技術・特許６２３２５３０号」の、「浮力式動力発生装置」群と、該「浮力式動力発生装置」が発生させた出力を原動機又は発電機に伝達する「出力伝達装置」群と、該「出力伝達装置」と該「原動機又は発電機」とを組み合わせた装置」群と、からなる「動力発生装置」であって、

該「出力伝達装置」群は、
該「浮力式動力発生装置」の「浮体」の上下運動を回転運動に変換する装置と、
該「浮力式動力発生装置」を利用して駆動する「圧縮機」と、
該「圧縮機」と「圧縮空気ボンベ」又は「タンク」の組み合わせからなる「浮力式コンプレッサー」と、
該「浮力式動力発生装置」を利用して駆動する「浮力式流体ポンプ」と、
該「圧縮機」と、液体に気体を圧縮して溶解させた溶液を貯蔵する「溶液ボンベ」との組み合わせと、
該「圧縮機」と、ゾル又は粉砕したゲルに気体を圧縮して溶解又は混合させた混合流体を貯蔵する「混合流体ボンベ」との組み合わせと、
「変速機」と、「蓄電池」と、該「圧縮空気ボンベ」と、該「圧縮空気」の吐出を制御する装置と、該「溶液ボンベ」と、該「溶液」の吐出を制御する装置と、該「混合流体ボンベ」と、該「混合流体」の吐出を制御する装置と、
からなること、

前記「出力伝達装置」と前記「原動機又は発電機」とを組み合わせた「装置」群は、
該「浮体」の上下運動を回転運動に変換する装置によって駆動する原動機と、
該「浮体」の上下運動を回転運動に変換する装置によって駆動する発電機と、
該「圧縮空気ボンベ」、もしくは該「溶液ボンベ」、もしくは該「混合流体ボンベ」と原動機の組み合わせと、
該「圧縮空気ボンベ」、もしくは該「溶液ボンベ」、もしくは該「混合流体ボンベ」と発電機の組み合わせと、
該「圧縮機」と原動機、又は該「浮力式コンプレッサー」と原動機、からなる「浮力式圧縮空気エンジン」と、
該「圧縮機」と発電機、又は該「浮力式コンプレッサー」と発電機、からなる「浮力式圧縮空気発電機」と、
該「浮力式コンプレッサー」又は該「圧縮空気ボンベ」から吐出される圧縮空気を、原動機と発電機に分岐して該原動機と該発電機を駆動することを特徴とする、該「浮力式圧縮空気エンジン」と該「浮力式圧縮空気発電機」と、の組み合わせと、
該「浮力式流体ポンプ」と原動機、からなる「浮力式流体エンジン」と、
該「浮力式流体ポンプ」と発電機、からなる「浮力式流体発電機」と、
該「浮力式流体ポンプ」から吐出される流体を、原動機と発電機に分岐して該原動機と該発電機を駆動することを特徴とする、該「浮力式流体エンジン」と該「浮力式流体発電機」と、の組み合わせと、
該「圧縮機」と該「溶液ボンベ」と原動機、からなる「浮力式流体エンジン・溶液型」と、
該「圧縮機」と該「混合流体ボンベ」と原動機、からなる「浮力式流体エンジン・流体型」と、
該「圧縮機」と該「溶液ボンベ」と発電機、からなる「浮力式流体発電機・溶液型」と、
該「圧縮機」と該「混合流体ボンベ」と発電機、からなる「浮力式流体発電機・混合流体型」と、
該「溶液」又は該「混合流体」を、原動機と発電機に分岐して該原動機と該発電機を駆動することを特徴とする、該「浮力式流体エンジン」と該「浮力式流体発電機」と、の組み合わせと、
前記「発電機」によって充電された該「蓄電池」と「原動機」の組み合わせと、
からなること、
を特徴とする、前記「浮力式動力発生装置」群と、前記「出力伝達装置」群と、前記「出力伝達装置と原動機又は発電機とを組み合わせた装置」群と、から動力を発生させることを目的として選択された、一つあるいは複数の装置の組み合わせからなる「動力発生装置」。
【請求項５】
請求項１もしくは請求項２もしくは請求項３の「浮力式動力発生装置」の、「出力拡大方法」と「出力調整方法」であって、

該「出力拡大方法」は、
浮体の体積を拡大することを目的として、該「浮体の鉛直拡大」を用いる方法と、
液体の比重を高めることを目的として、重液又は水銀を利用する方法と、
浮体運動の上昇幅を拡大することを目的として、「物体の挿入と抜去」における、液体に挿入する物体の体積を拡大する方法と、
浮体の回転数を拡大することを目的として、「物体の挿入と抜去」における、単位時間あたりの物体の挿入と抜去の回数を拡大する方法と，
浮体の体積を拡大することを目的として、「浮力式動力発生装置」の設置数を拡大すること、によって、該「浮力式動力発生装置」群の、浮体の体積の総和を拡大する方法と、
からなる群から選択された、一つ又は複数の方法を実行すること、
該「出力調整方法」は、
前記液体に挿入する物体の体積を増減する方法と、
前記物体の挿入と抜去の単位時間あたりの回数を増減する方法と、
設置された複数の「浮力式動力発生装置」の稼働数を増減する方法と、
原動機又は発電機に伝達する、「浮力式動力発生装置」が発生した動力の伝達量、を増減する方法と、
からなる群から選択された、一つ又は複数の方法を実行すること、
を特徴とする、該「浮力式動力発生装置」の、「出力拡大方法」と「出力調整方法」。
【請求項６】
請求項１もしくは請求項２もしくは請求項３の「浮体の鉛直拡大」を特徴とする「浮力式動力発生装置」の製造方法であって、
「容器の一部」と、「浮体の一部」と、オプションとしての「間隙内蛇腹」と、浮体を上方に拡大する目的で造作された「浮体拡大用パーツ」と、容器を上方へ拡大する目的で造作された「容器拡大用パーツ」と、を含み
該「容器の一部」と、該「浮体の一部」と、該オプションとしての「間隙内蛇腹」と、によって、該「浮体の鉛直拡大」の土台を構成し、
前記「浮体の鉛直拡大の土台」に、該「浮体拡大用パーツ」と、該「容器拡大用パーツ」と、を組み合わせて、該浮体と該容器を、鉛直上方に拡大していくこと、
を特徴とする、「浮力式動力発生装置の製造方法」。
【請求項７】
請求項１もしくは請求項２もしくは請求項３もしくは該「先行技術・特許６２３２５３０号」の「浮力式動力発生装置」群と、請求項４の「動力発生装置」の装置群と、から選択された、一つ又は複数の装置を利用すること、を「特徴」として改良された該「先行技術」の「利用発明」群、であって、

前記「動力発生装置」を利用することを「特徴」とする、
請求項１０の「発電設備」群と「送電設備」群と、からなる「電力供給システム」と、
請求項１１の「ポンプ」あるいは「圧縮ポンプ」と、
請求項１３の「移動型有線式航空機」と、
請求項１４の「定位置型有線式航空機」と、
請求項１５の「定位置型有線式航空機」と、
請求項１６の「高温気泡注入式造水器」と、
請求項１８の「鉱工業の業務方法」と、
請求項１９の「農業の、農器具群、あるいは設備群」と、
請求項２０の「漁業の、漁具群、あるいは設備群」と、
請求項２１の「建造物群、あるいは建造物の設備群」と、
請求項２２の「懸吊式免震装置」と、
請求項２３の「輸送システム」と、
請求項２４の「交通機関群」と、
請求項２５の「タンデム乗用車」と、
請求項２６の「水中翼電車」と、
請求項２７の「電気製品」と、
からなる、「改良された利用発明群」。
【請求項８】
請求項４の「浮力式コンプレッサー」を利用した、発電所と、熱交換機と、該熱交換機を利用した装置と、屋外・建造物用冷房装置であって、
該「浮力式コンプレッサー」を利用し、圧縮空気の吐出によって、タービン式あるいはピストン式の発電機を駆動して発電することを特徴とする発電所と、
該「浮力式コンプレッサー」を利用し、該圧縮空気の吐出によって、火力発電所の発電機を駆動して発電することを特徴とする「浮力式圧縮空気発電所」と、
該「浮力式コンプレッサー」を利用した熱交換機と、
該熱交換機を利用した「冷蔵庫と、冷凍庫と、エアーコンディショナーと、給湯器と」、
該「浮力式コンプレッサー」を利用した、屋外と建造物の、一方又は両方を冷房することを目的とした冷房装置であって、該「浮力式コンプレッサー」は「圧縮機」と「タンク」からなり、該「圧縮機」によって該「タンク」に圧縮空気を充填し、充填された該圧縮空気を放出することによって冷房すること、を特徴とする、屋外・建造物用冷房装置と、
前記「タンク」の圧縮空気を熱源として利用する装置と、
からなる、該「浮力式コンプレッサー」を利用した、「浮力式発電所と、熱交換機と、該熱交換機を利用した装置と、屋外・建造物用冷房装置」。
【請求項９】
請求項７の「請求項１５の移動型有線式航空機」を利用した運搬設備であって、
ロケットの空中発射設備であって、
請求項４の「動力発生装置」を利用した電源と、浮揚式架線と、「移動型有線式航空機」を利用したロケット空中発射装置と、を含み、該「ロケット空中発射装置」がロケットを搭載し、該「浮揚式架線」から受電しつつ該ロケットを高空へ運搬し、空中発射させること、を特徴とする、「ロケットの空中発射設備」と、
自動車・コンテナ・貨車・船舶・バージを含む運搬物の運搬設備であって、
請求項４の「動力発生装置」を利用した電源と、浮揚式架線と、固定式架線と、「移動型有線式航空機」を利用した運搬装置と、を含み、該「運搬装置」が該「運搬物」を搭載し、該「浮揚式架線」又は「固定式架線」から受電しつつ該「運搬物」を運搬すること、を特徴とする、「物体の運搬設備」と、
からなる、「移動型有線式航空機を利用した運搬設備」。
【請求項１０】
請求項７の「請求項１５の定位置型有線式航空機」に記載された「離着陸補助業務」、を改良した「離着陸補助業務」の設備、であって、
請求項４の「動力発生装置」を利用した電源と、浮揚式架線と、固定式架線と、蓄電池と、「定位置型有線式航空機」と、「移動型有線式航空機」と、
航空機の搭載と解放を容易にすることを目的とした「フック可変式面ファスナー」であって、フックとリングからなり、該フックは可変式であって、該フックを折り曲げて該リングと接着させ、該フックを伸ばして該リングから剥離すること、フックとリングの正しい接着位置を判断して接着を実行することを目的とした装置であって、フック側とリング側の一方又は両方に設けたセンサーの情報を利用し、フックを装着した物体をリング側の接着予定位置に移動させて接着させる装置、又は、リングを装着した物体をフック側の接着予定位置に移動させて接着させる装置、を利用すること、を特徴とする「フック可変式面ファスナー」と、
オプションとしての、暴風設備を具えた、離着陸補助業務を実行する飛行場と、を含み、
「定位置型有線式航空機」と、「移動型有線式航空機」と、離着陸補助される航空機は、該「フック可変式面ファスナー」を具えること、
離陸は、「定位置型有線式航空機」が、該「フック可変式面ファスナー」を利用して航空機を搭載し、該浮揚式架線を利用して上昇し、該飛行機を解放すること、
又は、「移動型有線式航空機」が、該「フック可変式面ファスナー」を利用して航空機を搭載し、「固定式架線」もしくは該「浮揚式架線」もしくは蓄電池を利用して離陸し、該飛行機を解放すること、
着陸は、「定位置型有線式航空機」が、該「浮揚式架線」を利用して上昇し、該「フック可変式面ファスナー」を利用して航空機を捕捉し、搭載し、下降し、着陸し、該飛行機を解放すること、
又は、「移動型有線式航空機」が、「固定式架線」もしくは該「浮揚式架線」もしくは蓄電池を利用して上昇し、該「フック可変式面ファスナー」を利用して航空機を捕捉し、搭載し、下降し、着陸し、該飛行機を解放すること、
を特徴とする、「改良された離着陸補助業務の設備」。
【請求項１１】
請求項７の「請求項１５の定位置型有線式航空機」に記載された「通信業務」、を改良した「通信設備と通信機器とソフトウェア」、であって、
該通信設備は、「定位置型有線式航空機」を利用した基地局と、基地局の機能を具えた通信設備と、を含み、該基地局と該基地局、該基地局と該通信設備、該通信設備と該通信設備、が無線又は有線で結ばれること、
該通信機器は、携帯電話・スマートフォン・無線電話・通信機能を具えたコンピュータを含み、該基地局と、該「基地局の機能を具えた通信設備」の、一方又は両方、を利用して通信すること、請求項４の「動力発生装置」を利用した電源として、「圧縮空気ボンベ」もしくは「溶液ボンベ」もしくは「混合流体ボンベ」と発電機と「蓄電池」との組み合わせを利用できること、
該ソフトウェアは、通信機能を有する機器に搭載され、「絵文字」と、該「絵文字」の辞書と、該「絵文字」を利用した「絵文字文」の作成の機能と、該「絵文字文」の発信と受信の機能と、該「絵文字文」の翻訳の機能と、を含む、絵文字を利用した表現と通信のソフトウェアであること、
の、特徴を有する、前記「通信業務」を改良した、通信設備と通信機器とソフトウェア。
【請求項１２】
請求項１１の、「絵文字」と、該「絵文字」の辞書と、該「絵文字」を利用した「絵文字文」の作成の機能と、該「絵文字文」の発信と受信の機能と、該「絵文字文」の翻訳の機能と、を含む、「絵文字を利用した表現と通信のソフトウェア」であって、
該「絵文字」は、
本願発明の発明者が絵柄と意味を定めた「絵文字」、を「正規絵文字」とすること、
利用者が任意に絵柄を制作し、又は既成の絵柄を利用し、意味を定めた「絵文字」、を「任意絵文字」とすること、
該「絵文字」の意味は、自然言語と「絵・写真を含む具象的表現」の、一方又は両方を利用して表示することができること、
からなる特徴の群から選択された一つ又は複数の特徴を有すること、
該「絵文字」の辞書は、
該「正規絵文字」と該「任意絵文字」と該「絵・写真を含む具象的表現」と、からなる表現の群から選択された一つ又は複数の表現を収納し、表示すること、
該「正規絵文字」もしくは該「任意絵文字」もしくは該「絵・写真を含む具象的表現」の意味を、多種の自然言語から選択された自然言語と該「絵・写真を含む具象的表現」の、一方又は両方によって表示すること、
該自然言語の発音を収納し、発音すること、
多種の自然言語から選択された自然言語を、該「正規絵文字」もしくは該「任意絵文字」もしくは該「絵・写真を含む具象的表現」に変換し表示すること、
からなる特徴の群から選択された一つ又は複数の特徴を有すること、
該「絵文字文」は、
該「正規絵文字」と該「任意絵文字」と該「絵・写真を含む具象的表現」と数字と自然言語と、を利用することができること、
該「絵文字文」の構文は、本願発明の発明者が定めた規則に従って構成するものを「正規構文」とすること、
該「絵文字文」の構文は、利用者が任意に構成するものを「任意構文」とすること、
該「正規構文」の作成に利用する、自然言語によって表現された多種の構文のサンプル文を「正規サンプル構文」とすること、
該「任意構文」の作成に利用する、利用者が定めた、自然言語によって表現された多種の構文のサンプル文を「任意サンプル構文」とすること、
からなる特徴の群から選択された一つ又は複数の特徴を有すること、
該「絵文字文」の作成の機能は、
該「辞書」を利用して、多種の自然言語から選択された自然言語を、該「正規絵文字」もしくは該「任意絵文字」もしくは該「絵・写真を含む具象的表現」に変換すること、
該「変換」において、複数の表現の候補が表示された場合に、任意に表現を選択できること、
前記「正規サンプル構文」の各単語の部分に、該「正規絵文字」もしくは該「任意絵文字」もしくは該「絵・写真を含む具象的表現」に変換したい自然言語の単語を入力することによって、該自然言語を「正規構文」による「絵文字文」に変換すること、
該「正規サンプル構文」における「変換」において、複数の表現の候補が表示された場合に、任意に表現を選択できること、
発信者が構成した自然言語による文の単語群を、単語ごとに該「正規絵文字」もしくは該「任意絵文字」もしくは該「絵・写真を含む具象的表現」に変換して絵文字文を作成すること、
該「変換」において、複数の表現の候補が表示された場合に、任意に表現を選択できること、
該「任意サンプル構文」の各単語の部分に、該「正規絵文字」もしくは該「任意絵文字」もしくは該「絵・写真を含む具象的表現」に変換したい自然言語の単語を入力することによって、該自然言語を「任意構文」による「絵文字文」に変換すること、
該「任意サンプル構文」における「変換」において、複数の表現の候補が表示された場合に、
任意に表現を選択できること、
該「絵文字文」の「絵文字」の意味を、発信者が用意した自然言語と「絵・写真を含む具象的表現」の、一方又は両方を利用して表示させること、
該「正規絵文字」もしくは該「任意絵文字」もしくは該「絵・写真を含む具象的表現」に変換したい自然言語を音声入力することによって、該自然言語を、該「正規絵文字」もしくは該「任意絵文字」もしくは該「絵・写真を含む具象的表現」に変換して表示すること、
前記音声入力によって、複数の表現の候補が表示された場合に、任意に表現を選択できること、
の前記機能の群から選択された一つ又は複数の機能からなること、

該「絵文字文」の発信と受信の機能は、
前記作成された「絵文字文」を発信する機能と、
発信された該「絵文字文」を受信し表示する機能と、
からなること、
該「絵文字文」の翻訳の機能は
該「絵文字文」の該「正規絵文字」もしくは該「任意絵文字」もしくは該「絵・写真を含む具象的表現」を、該「辞書」を利用して、多種の自然言語から選択した自然言語に変換すること、
該「変換」において、複数の自然言語による意味が表示された場合に、任意に意味を選択できること、
前記変換された自然言語を発音すること、
受信した該「正規構文」又は「任意構文」による「絵文字文」を、該「辞書」を利用して、受信者が選択した自然言語に、自動と手動の一方又は両方によって翻訳すること、
該「翻訳」において、複数の自然言語の意味が表示された場合に、任意に意味を選択できること、
前記翻訳された自然言語を、音声で出力すること、
の前記機能群から選択された一つ又は複数の機能からなること、
該「ソフトウェア」のオプションの機能は、
該「絵文字」と、該「絵・写真を含む具象的表現」と、数字と、自然言語と、を、動かすこと、もしくは彩色すること、もしくは拡大すること、もしくは縮小すること、
該「絵文字文」を用いた文書の画面に広告を表示すること、
該「正規絵文字」と該「正規構文」を利用して作成された、多種の文書の「雛形」を利用できること、
該「絵文字文」を利用した私文書又は公文書は、偽造を防止することを目的として、電子署名と電子認証を利用できること、
該「絵文字文」を利用した契約書を、契約の当事者の希望によって、通信事業者がデータベースに保存すること、
該契約書を該当事者の申し出によって公開すること、
該「正規絵文字」と該「正規構文」と該「雛形」を利用して作成された契約書を、公正証書とすること、
の前記機能群から選択された一つ又は複数の機能からなること、
を特徴とする、「絵文字を利用した表現と通信のソフトウェア」。
【請求項１３】
請求項７の「請求項２４の交通機関群」と「請求項２５のタンデム乗用車」と「請求項２６の水中翼電車」からなる交通手段群、の改良、であって、
１，該「請求項２４の交通機関群」の自動車・電車と、該「請求項２５のタンデム乗用車」の改良であって、請求項４の「動力発生装置」の装置群と、「内燃機関」と、からなる装置群の中から選択された、一つ又は複数の装置を、搭載し又は牽引して利用すること、を特徴とする「改良された、自動車と電車とタンデム乗用車」と、
２，「振動式自動車移動装置」であって、
前記「改良された自動車とタンデム乗用車」と、「自動車」と、の車輪の一部又は全体を振動させることによって、該「改良された自動車とタンデム乗用車」と、「自動車」と、の位置を任意の方向に移動させること、を特徴とする、「振動式自動車移動装置」と、
３，該「請求項２４の交通機関群」の「バージを曳航する船舶と潜水バージを曳航する潜水船」の改良であって、請求項４の「動力発生装置」の装置群と、「内燃機関」と、からなる装置群の中から選択された、一つ又は複数の装置を搭載し又は牽引して利用すること、後続の「バージ又は潜水バージ」の正面抵抗を減殺すること、を目的として、該後続の「バージ又は潜水バージ」の正面に気泡を噴射する装置、を具えることができること、を特徴とする、「改良された、バージを曳航する船舶と潜水バージを曳航する潜水船」と、
４，該「請求項２４の交通機関群」の「バージと潜水バージ」の改良であって、請求項４の「動力発生装置」の装置群と、「内燃機関」と、からなる装置群の中から選択された、一つ又は複数の装置を搭載し又は牽引して利用すること、後続の「バージ又は潜水バージ」の正面抵抗を減少させることを目的として、該後続の「バージ又は潜水バージ」の正面に気泡を噴射する装置、を具えることができること、該「バージ又は潜水バージ」が該「一つ又は複数の装置」利用した自力走行する装置を具えること、を特徴とする、「改良された、バージ又は潜水バージ」と、

５，該「請求項２６の水中翼電車」の改良であって、
請求項４の「動力発生装置」の装置群と、「内燃機関」と、からなる装置群の中から選択された、一つ又は複数の装置を搭載し又は牽引して利用すること、横揺れを防止することを目的とした装置であって、該「水中翼電車」の両側に設けた水平回転する車輪と、該車輪を受け止める柵状の軌道と、からなり、該軌道が該車輪を支持することによって横揺れを防止する、「横揺れ防止装置」を具えること、を特徴とする、「改良された水中翼電車」と、

６，該「請求項２４の交通機関群」の「航空機あるいは飛行艇」の改良であって、
請求項４の「動力発生装置」の装置群と、「内燃機関」と、からなる装置群の中から選択された、一つ又は複数の装置を利用し、固定翼もしくは回転翼もしくは固定翼と回転翼の併用、によって飛行すること、
A，請求項４の「圧縮空気ボンベ」を利用し、該「圧縮空気ボンベ」から吐出される圧縮空気の噴射、によって飛行する機能と、
B，請求項１０の「フック可変式面ファスナー」を利用して、「圧縮空気ボンベ」もしくは「蓄電池」もしくは「燃料タンク」を「交換」して飛行を継続する機能と、
C，「定位置型有線式航空機」を利用した空中の「交換用基地」において、該「交換」を実行すること、又は、地上の該「交換用基地」において、該「交換」を実行する機能と、
D，該「圧縮空気ボンベ」もしくは「蓄電池」もしくは「燃料タンク」、を空中で交換すること、を目的とした航空機を利用し、飛行中に、該「交換」を実行する機能と、
E，該「飛行艇」は、該請求項４の「圧縮空気ボンベ」を利用して水中に気泡を噴射する機能と、からなる前記AからEの機能の群から選択された、一つ又は複数の機能を具えること、を特徴とする、「改良された、航空機又は飛行艇」と、
７，圧縮空気充填設備であって、
請求項４の「動力発生装置」を利用して、前記「交通手段」が具える圧縮空気ボンベに圧縮空気を充填することを目的とした、「圧縮空気充填設備」と、
からなる、「改良された交通手段群」。
【請求項１４】
請求項１０の「フック可変式面ファスナー」の改良であって、
「フック」の折り曲げと伸ばしを、手動によって実行する装置と、
「フック」の折り曲げと伸ばしを、動力によって実行する装置と、
請求項１０の「フックとリングと正しい接着位置を判断して接着を実行することを目的とした装置」と、
からなる群から選択された、一つ又は複数の装置を具えること、
請求項９の「運搬設備」と、請求項１０の「離着陸補助業務」と、請求項１３に記載の「圧縮空気ボンベ」・「蓄電池」・「燃料タンク」の交換と、以外の装置の接着と剥離にも利用できること、
を特徴とする、「改良されたフック可変式面ファスナー」。
【請求項１５】
請求項７の「請求項１６の高温気泡注入式造水器」、の改良、であって、
「原水の注入と排出を制御する装置」を設け、該装置を利用し、該原水の注入と排出と再注入と、特徴とする操作によって、造水器として用いること、該装置を利用し、該原水の注入と非再注入と、を特徴とする操作によって、濃縮器又は乾燥器として用いること、を特徴とする、「改良された高温気泡注入式造水器」と、

該「高温気泡注入式造水器」の凝結器を省略して、該「濃縮器又は乾燥器」として用いること、を特徴とする、「高温気泡注入式濃縮器・乾燥器」。
【請求項１６】
請求項７の「請求項１８の鉱工業の業務方法」の改良、であって、
「炭化水素製品製造の業務方法」において、二酸化炭素の原料として、石炭、メタンハイドレートを含む有機物、を利用すること、を特徴とする、「改良された炭化水素製品製造の業務方法」と、
「海洋資源開発の業務方法」において、「潜水船」であって、請求項４の「動力発生装置」の装置群から選択された、一つ又は複数の装置を利用した自家発電装置を具えること、工場の機能を具えること、を特徴とする「潜水船」を利用し、海底資源を採掘し、該採掘した資源を加工すること、を特徴とする、「改良された海洋資源開発の業務方法」。
【請求項１７】
請求項７の「請求項２３の輸送システム」の改良、であって、
該「輸送システム」で用いられる交通手段に追加して、複数の「移動型有線式航空機」を搭載して運搬することを目的とする「移動型有線式航空機の母機」と、自動車と、請求項１３の「改良された交通手段群」から選択された交通手段と、
を利用すること、を特徴とする、「改良された輸送システム」。

【請求項１８】
請求項７の「請求項２２の懸吊式免震装置」と工場の組み合わせ、であって、
該「懸吊式免震装置」に該工場を設置すること、
該工場の規範であって、
請求項４の「動力発生装置」の装置群から選択された、一つ又は複数の装置を利用した自家発電装置を具えること、
電圧を一定に保つこと、電源のノイズを管理すること、
工場内の気温と湿度と照明を管理すること、工場内の空気を清浄に保つこと、
の、前記規範群から選択された一つ又は複数の規範と、情報と、を共有する複数の工場が、請求項１７の「改良された輸送システム」を利用して連携すること、
を特徴とする、「懸吊式免震装置と工場の組み合わせ」。
【請求項１９】
請求項１７の「改良された輸送システム」を利用した業務、であって、
食材と料理の配送業務であって、
食材と料理の、配送者と販売者と購入者と、によって実行され、
該購入者が、「食材もしくは料理もしくは食材と料理」を該販売者に発注すること、該配送者は、発注された該「食材もしくは料理もしくは食材と料理」を、該「改良された輸送システム」を利用して、該販売者から該購入者へ配送すること、を特徴とする、「食材・料理の配送業務」と、
部品の配送業務であって、
部品の、配送者と販売者と購入者と、によって実行され、該購入者が、「部品」を該販売者に発注すること、該配送者は、発注された該「部品」を、該「改良された輸送システム」を利用して、該販売者から該購入者へ配送すること、を特徴とする、「部品の配送業務」。
【請求項２０】
請求項７の「請求項２０の漁業の、漁具、あるいは設備」の改良、であって、
マイクロバブル又はマイクロナノバブルを発生させる「曝気装置」と、
漁場内の情報を管理することを目的とした漁業管理設備であって、漁船・潜水漁船・魚群探知機を含む漁業用情報機器・人工魚礁・海洋牧場と、漁業管理設備と、を通信で結び、漁場内の情報を収集し管理することを特徴とする、「漁業管理設備」と、

漁獲品販売設備であって、漁業者と漁獲品の購入者と漁獲品の配送者と、を通信回線で結び、漁獲品の売買契約が成立すると、該漁獲品の配送者が、該漁獲品を請求項１７の「改良された輸送システム」を利用して、該漁業者から該購入者へ配送する「漁獲品販売設備」と、
からなる、「改良された、漁業の、漁具と設備」。
【請求項２１】
請求項４の「動力発生装置」を利用した、「農業の装置群と設備群」であって、
播種・散水・収穫を含む農作業を実行することを特徴とする「農作業ロボット」と、
農作業を補助することを目的とした、自動又は手動で操作することを特徴とする「農作業補助装置」と、
虫類を捕獲することを目的として、照明によって虫類を誘引し、吸引装置によって捕獲すること、を特徴とする「捕虫機」と
農作物の栽培を目的とする建物である「栽培棟」であって、
暴風に耐えられる堅牢性を具えること、気温・湿度・水・照明を管理する装置を具えること、該「農作業ロボット」と該「農作業補助装置」の一方又は両方を具えること、を特徴とする「栽培棟」と、
水上で農作物を栽培することを目的とする「水上農地」であって
請求項４の「動力発生装置」の装置群から選択された、一つ又は複数の装置を利用した自家発電装置を具えること、
請求項７の「高温気泡注入式造水器」と、請求項１５の「改良された高温気泡注入式造水器」と、請求項４の「動力発生装置」を利用する「造水器」と、該「農作業ロボット」と、該「農作業補助装置」と、該「水上農地」を移動させる装置と、から選択された、一つ又は複数の装置を具えること、
を特徴とする「水上農地」と、
農作物を栽培することを目的とする塔である「水上栽培塔」であって、
フロートを利用して設置すること、農作物を栽培する部分である一つ又は複数の「階」を具えること、を特徴とする「水上栽培塔」と、
該「水上栽培塔」における農作業を管理することを目的とする「栽培管理設備」であって、
請求項４の「動力発生装置」を利用した電源、又は、請求項４の「動力発生装置」の装置群から選択された一つ又は複数の装置を利用した自家発電装置、を利用して、該「水上栽培塔」に給電すること、
該「農作業ロボット」と該「農作業補助装置」の、一方又は両方の装置を具えること、
該「水上栽培塔」を移動させる装置を具えること、
を特徴とする、「栽培管理設備」と、
畜舎であって、
気温、湿度、臭気を管理する装置を具えること、給餌、清掃を含むルーチン作業を実行することを特徴とする畜産作業ロボットを具えること、を特徴とする、「畜舎」と、
該「捕虫機」によって捕獲した虫類を飼料として利用し、養鶏を含む畜産の業務を実行すること、を特徴とする「捕虫機を利用した畜舎」と、
からなる、「農業の装置群と設備群」。
【請求項２２】
請求項４の「動力発生装置」を利用した、「商業施設群」であって、
請求項４の「動力発生装置」の装置群から選択された、一つ又は複数の装置を利用した自家発電装置を具えた店舗と、
請求項８の冷蔵庫と冷凍庫の、一方又は両方を具えた店舗と、
請求項８の冷蔵庫を利用して、冷蔵食品を販売する自動販売機と、
請求項８の冷凍庫を利用して、冷凍食品を販売する自動販売機と、
該「自動販売機」を具えた店舗又は移動式店舗と、該「自動販売機」を具えた食堂と、
ランドリーと、コインランドリーと、浴場と、
を含む、「商業施設群」。
【請求項２３】
請求項４の「動力発生装置」を利用した、「リサイクル設備群」であって、
亜臨界水を利用して廃棄物を分解する「亜臨界水処理装置」と、
超臨界水を利用して廃棄物を分解する「超臨界水処理装置」と、
該「亜臨界水処理装置」又は該「超臨界水処理装置」を具えた、住宅・ビル・工場を含む建物と、
該「亜臨界水処理装置」又は該「超臨界水処理装置」を搭載し又は牽引する、自動車又は船舶と、
該「亜臨界水処理装置」又は該「超臨界水処理装置」によって得られた分解物から資源を分離し、抽出する装置と、
該「亜臨界水処理装置」又は該「超臨界水処理装置」と請求項１５の「高温気泡注入式乾燥器・濃縮器」の組み合わせであって、該「亜臨界水処理装置」又は該「超臨界水処理装置」よって、廃棄物を分解物とし、該分解物を、該「高温気泡注入式濃縮器・乾燥器」によって乾燥又は濃縮することを特徴とする、「亜臨界水処理装置」又は「超臨界水処理装置」と「高温気泡注入式濃縮器・乾燥器」の組み合わせと、
マイクロバブル又はマイクロナノバブルを発生させる「曝気装置」と、
を含む、「リサイクル設備群」。
【請求項２４】
請求項１２の「絵文字文を利用した表現と通信のソフトウェア」を利用した業務群、であって、
通信販売と、オークション運営と、広告業と、新聞業と、出版業と、インターネットサイト運営と、マニュアル作成と、を含む業務群。